【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
吸引デバイスであって、
外部表面を有する球状本体と、第１のカラーと、外部表面を有する先端とを含む球状吸引器部分であって、前記球状本体は、上側部分と、下側部分とを含み、前記先端は、形状でテーパ状にされ、角度付けられ、鼻腔の中への挿入のための第１の端部と、前記第１のカラーの第１の端部との着脱可能接続のために構成された第２の端部とを有し、前記球状本体の外部表面は、前記先端の外部表面と同一平面にある、球状吸引器部分と、
第１の構成にあるとき、前記球状本体の下側部分への着脱可能接続のために構成された停止部と、
第２のカラーと、管部分と、アダプタとを含む吸引管であって、前記第２のカラーは、前記吸引管の第１の端部に配置され、前記球状本体の下側部分に結合されるように適合され、前記アダプタは、前記吸引管の第２の端部に結合され、前記管部分が第２の異なる構成において前記球状吸引器に結合されるとき、前記吸引管を通して前記球状吸引器の中への吸引力の印加を可能にするよう、吸引力が前記アダプタに印加されることを可能にするようにヒトの口中への挿入のために構成されている、吸引管と
を備え、
前記球状上側部分は、前記第１のカラーの第２の端部を受容するために構成され、前記球状下側部分は、第１の構成において前記停止部を、第２の異なる構成において前記吸引管と関連付けられた前記第２のカラーを受容するために構成されている、吸引デバイス。
【請求項２】
前記第２のカラーは、前記アダプタにおける吸引力の印加に応じて、空気が前記球状本体から前記吸引管の中に流動し、空気が前記アダプタから前記球状本体の中に吹き込まれることを実質的に阻止することを可能にするように構成されている、第１の一方向フィルタを含む、請求項１に記載の吸引デバイス。
【請求項３】
前記第２のカラーまたは前記アダプタの一方または両方は、粒子状物質が前記アダプタを通して吸引力を印加しているユーザの口に進入することを防止するための第２のフィルタを含む、請求項２に記載の吸引デバイス。
【請求項４】
前記第１のフィルタまたは前記第２のフィルタの一方または両方は、交換可能である、請求項３に記載の吸引デバイス。
【請求項５】
前記アダプタは、前記アダプタにおける吸引力の印加に応じて、空気が前記球状本体から前記吸引管の中に流動し、空気が前記アダプタから前記球状本体の中に吹き込まれることを実質的に阻止することを可能にするように構成されている、第１の一方向フィルタを含む、請求項１に記載の吸引デバイス。
【請求項６】
前記球状本体の上側部分は、前記第１のカラーの一部を前記球状本体内に着脱可能に位置付けるための内部リッジを備える、請求項１に記載の吸引デバイス。
【請求項７】
前記第１のカラーは、前記球状本体への前記第１のカラーの着脱可能接続を可能にするように、前記球状本体の内部リッジと係合するための第１のリッジを含む、請求項６に記載の吸引デバイス。
【請求項８】
前記先端の第２の端部は、前記第１のカラーへの前記先端の着脱可能接続を可能にするように、前記第１のカラーの第２のリッジを受容するための円周方向陥凹領域を含む、請求項７に記載の吸引デバイス。
【請求項９】
前記球状本体は、前記第１の構成にあるとき、前記球状本体を押下し、前記先端において吸引力を形成することを可能にする、変形可能材料から構築されている、請求項１に記載の吸引デバイス。
【請求項１０】
前記球状本体の下側部分は、前記吸引管に近接する第１の端部と、第２の端部とを含む縮径領域を含み、前記縮径領域の第１の端部は、前記第１の構成にあるとき、いったん前記縮径部内に挿入されると、前記停止部を維持するための内部円周方向リッジと、前記第２の構成にあるとき、前記停止部が前記吸引デバイスとともに維持されることを可能にするように、前記停止部と関連付けられたリングを受け入れるための円周方向陥凹とを含む、請求項１に記載の吸引デバイス。
【請求項１１】
前記縮径領域の第２の端部は、前記停止部の直径未満に定寸されている、開口を含み、前記開口は、前記第２の構成に展開されると、前記第２のカラー内に配置されている、一方向フィルタと連通する、請求項１０に記載の吸引デバイス。
【手続補正２】
【補正対象書類名】明細書
【補正対象項目名】０００５
【補正方法】変更
【補正の内容】
【０００５】
本明細書の主題の１つまたはそれを上回る実施形態の詳細は、付随の図面および以下の説明に記載される。本主題の他の特徴、側面、および利点は、説明、図面、および請求項から明白となるであろう。
本願明細書は、例えば、以下の項目も提供する。
（項目１）
吸引デバイスであって、
球状本体と、第１のカラーと、先端とを含む、球状吸引器部分を備え、前記球状本体は、前記第１のカラーの一端を受容するために構成される上側部分と、第１の構成において、停止部を受容し、第２の異なる構成において、吸引管と関連付けられた第２のカラーを受容するために構成される下側部分とを含み、前記先端は、通路の中への挿入のために構成され、個別の空洞への挿入の容易性および適合性のための形状でテーパ状にされ、角度付けられ、
前記停止部は、前記第１の構成にあるとき、前記球状本体の下側部分への着脱可能接続のために構成され、
前記吸引管は、前記第２のカラーと、管部分と、アダプタとを含み、前記第２のカラーは、前記吸引管の第１の端部に配置され、前記球状本体の下側部分に結合されるように適合され、前記アダプタは、前記吸引管の第２の端部に結合され、前記管部分が前記第２の異なる構成において前記球状吸引器に結合されるとき、前記吸引管を通して前記球状吸引器の中への吸引力の印加を可能にするよう、ヒトの口に適合し、吸引力が前記アダプタに印加されることを可能にするように構成される、
吸引デバイス。
（項目２）
前記第２のカラーは、前記アダプタにおける吸引力の印加に応じて、空気が前記球状本体から前記吸引管の中に流動し、空気が前記アダプタから前記球状本体の中に吹き込まれることを実質的に阻止することを可能にするように構成される、第１の一方向フィルタを含む、項目１に記載の吸引デバイス。
（項目３）
前記第２のカラーまたは前記アダプタの一方または両方は、粒子状物質が前記アダプタを通して吸引力を印加しているユーザの口に進入することを防止するための第２のフィルタを含む、項目２に記載の吸引デバイス。
（項目４）
前記第１のフィルタまたは第２のフィルタの一方または両方は、交換可能である、項目３に記載の吸引デバイス。
（項目５）
前記アダプタは、前記アダプタにおける吸引力の印加に応じて、空気が前記球状本体から前記吸引管の中に流動し、空気が前記アダプタから前記球状本体の中に吹き込まれることを実質的に阻止することを可能にするように構成される、第１の一方向フィルタを含む、項目１に記載の吸引デバイス。
（項目６）
前記球状本体の上側部分は、前記第１のカラーを前記球状本体内に着脱可能に位置付けるための内部リッジを提供することを含め、前記第１のカラーを受容するように適合される、項目１に記載の吸引デバイス。
（項目７）
前記第１のカラーは、前記球状本体への前記第１のカラーの着脱可能接続を可能にするように、前記球状本体の内部リッジと係合するための第１および第２のリッジを含む、項目６に記載の吸引デバイス。
（項目８）
前記先端は、鼻腔の中への挿入のための遠位端と、前記第１のカラーとの着脱可能接続のために構成される近位端とを含み、前記近位端は、前記第１のカラーへの前記先端の着脱可能接続を可能にするように、前記第１のカラーの第３のリッジを受容するための円周方向陥凹領域を含む、項目７に記載の吸引デバイス。
（項目９）
前記球状本体は、前記第１の構成にあるとき、前記球状本体を押下し、前記先端において吸引力を形成することを可能にする、変形可能材料から構築される、項目１に記載の吸引デバイス。
（項目１０）
前記球状本体の下側部分は、前記吸引管に近接する第１の端部と、第２の端部とを含む、縮径領域を含み、前記第１の端部は、前記第１の構成にあるとき、いったん前記縮径部内に挿入されると、前記停止部を維持するための内部円周方向リッジと、前記第２の構成にあるとき、前記停止部が前記吸引デバイスとともに維持されることを可能にするように、前記停止部と関連付けられたリングを受け入れるための円周方向陥凹とを含む、項目１に記載の吸引デバイス。
（項目１１）
前記第２の端部は、前記停止部の直径未満に定寸される、開口を含み、前記第２の開口は、前記第２の構成に展開されると、前記吸引管の第２のカラー内に配置される、一方向フィルタと連通する、項目１０に記載の吸引デバイス。